(57)【要約】【課題】軒樋からのゴミを集水器で確実に捕捉する。【解決手段】集水器３０の軒樋２０から雨水を受ける位置にゴミ捕捉手段５３を備えたフレーム体５０を集水器３０の前面側の回動軸線Ａ−Ａで回動操作可能にしてある。また、集水器３０の下部側の筒状集水部３２荷抜き差し可能に捕捉筒体４０を設け、この捕捉筒体４０の内部を仕切るゴミ捕捉手段４６とゴミ捕捉手段４７とが、下部側にあるゴミ捕捉手段４７を上部側にあるゴミ捕捉手段４６よりも細かいゴミを捕捉し得るように構成した。【選択図】図４
2007182678.tif 000002
【特許請求の範囲】
【請求項１】
軒樋からの雨水を受けて排水側に送る集水器であって、
この集水器において軒樋からの雨水を受ける位置にゴミを捕捉するゴミ捕捉手段を備えたフレーム体が、
当該フレーム体において捕捉されたゴミを該集水器外に取り出し得るように、当該集水器の前面側に備えられている回動軸線で上側に向けて回動操作可能に設けてあることを特徴とする集水器。
【請求項２】
軒樋からの雨水を受けて排水側に送る集水器であって、
この集水器の下部側に備えられている筒状集水部における互いに向きあっている筒壁部に同寸法で同形状の抜き差し穴が設けてあると共に、
この抜き差し穴に抜き差し可能に差し入れられて集水器の一部をなす捕捉筒体が、前記抜き差し穴間にある筒状集水部内面に接しながら抜き差しされる一対の向きあった側板と、この抜き差し穴に差し入れられて当該抜き差し穴の開口を塞ぐ一対の向きあった側板とを備えており、
しかも、この捕捉筒体が、前記開口を塞ぐ各側板に取っ手を備えていると共に、上部側と下部側とに当該捕捉筒体内を仕切るゴミ捕捉手段を備えており、この下部側にあるゴミ捕捉手段が上部側にあるゴミ捕捉手段よりも細かいゴミを捕捉し得るようにしてあることを特徴とする集水器。
【請求項３】
軒樋からの雨水を受けて排水側に送る集水器であって、
この集水器において軒樋からの雨水を受ける位置にゴミを捕捉するゴミ捕捉手段を備えたフレーム体が、当該フレーム体において捕捉されたゴミを該集水器外に取り出し得るように、当該集水器の前面側に備えられている回動軸線で上側に向けて回動操作可能に設けてあり、
しかも、この集水器における前記フレーム体の備え付け位置よりも下部側にある筒状集水部の互いに向きあっている筒壁部に同寸法で同形状の抜き差し穴が設けてあると共に、この抜き差し穴に抜き差し可能に差し入れられて集水器の一部をなす捕捉筒体が、前記抜き差し穴間にある筒状集水部内面に接しながら抜き差しされる一対の向きあった側板と、この抜き差し穴に差し入れられて当該抜き差し穴の開口を塞ぐ一対の向きあった側板とを備えており、かつ、この捕捉筒体が前記開口を塞ぐ各側板に取っ手を備えていると共に、上部側と下部側とに当該捕捉筒体内を仕切るゴミ捕捉手段を備えており、下部側にあるゴミ捕捉手段が上部側にあるゴミ捕捉手段よりも細かいゴミを捕捉し得るようにしてあることを特徴とする集水器。
【請求項４】
前記ゴミ捕捉手段が網であることを特徴とする請求項１、請求項２または請求項３に記載の集水器。
【発明の詳細な説明】
【技術分野】
【０００１】
この発明は、雨樋におけるゴミ処理、特に、軒樋から運ばれる各種のゴミを効果的に除去し得る集水器の提供に関する。
【背景技術】
【０００２】
軒樋には、屋根に落下した枯れ葉や、木の実や、風によって運ばれた砂塵等の各種塵埃類や、葺き重ねた瓦等から生ずる塵埃や、破損片等が溜まりやすく、降雨等に際して雨水を円滑に地上側の排水桝等に案内し切れない場合があった。
【０００３】
また、このような枯れ葉、木の実、破損片、塵埃等が、軒樋から集水器を経て竪樋等の雨水の流路を塞ぐ不具合があり、排水し切れない雨水等が竪樋等の案内手段から漏れ出したり、この漏れだし雨水等によって壁面等を汚損する等の不具合があった。
【０００４】
かかる点から各種の雨樋の清掃手段が提案されている。例えば、集水器や樋に溜まったゴミを人間が高所に登ることなく取り除き得る樋のゴミ取装置として、特許文献１に示される樋のゴミ取装置が提案されている。
【０００５】
この特許文献１に示される樋のゴミ取装置は、後璧に設けられた一対の後壁ガイドと、前壁に固着さわた一対の前壁ガイドと、一対の支持部材と、一対の係合部材と被覆部材と、ワイヤからなる。一対の支持部材は、それぞれの後方端が一対の後壁ガイドに隣接しそれぞれの前方端が前記一対のガイドと隣接し後方端から前方端に到る間に集水器の上端よりも上方に隆起し、隆起の略頂部に頂部ガイドが設けられてあって、係合部材には、支持部材とワイヤが通してある構成としてある。
【特許文献１】特開２００３−１５５８０７
【発明の開示】
【発明が解決しようとする課題】
【０００６】
しかしながら、この種のゴミ取装置にあっては、ゴミを捕捉しているネットをワイヤを用いて集水器から引きづりだし、このネットに付着しているゴミを集水器外に落下させうることができるものの、操作系が煩雑となり、当該装置を適正な使用状態に維持管理することが難しく、また、ネットに溜まっているゴミを確実に一括除去する点において難があった。
【０００７】
また、かかる構成からなるゴミ取装置にあっては、ネット部分に雑多な各種ゴミ類が溜まることとなって、比較的少ないゴミの捕捉状態にあってもネット部に目詰まり等を生ずる不具合があった。
【０００８】
この発明に係る集水器は、かかる従前における不具合を解消して多種、多様のゴミを確実に捕捉し、これを、確実に軒樋から集水器に案内して取り出し、除去することのできる集水器の提供に関する。
【課題を解決するための手段】
【０００９】
前記課題を解決するために、第１の発明は、軒樋からの雨水を受けて排水側に送る集水器であって、
この集水器において軒樋からの雨水を受ける位置にゴミを捕捉するゴミ捕捉手段を備えたフレーム体が、
当該フレーム体において捕捉されたゴミを該集水器外に取り出し得るように、当該集水器の前面側に備えられている回動軸線で上側に向けて回動操作可能に設けてあることを特徴とする集水器としてある。
【００１０】
このように構成される集水器にあっては、軒樋から運ばれる、例えば、落ち葉等のゴミや、集水器自体に落下される落ち葉等のゴミが当該フレーム体に備えられているゴミ捕捉手段によって確実に捕捉できると共に、このゴミ捕捉手段によって捕捉した落ち葉等のゴミを当該フレームの回動操作によって容易に当該集水器から取り出し、除去することができる。
【００１１】
また、かかる構成からなる集水器にあっては、先端に挟持手段を備えた長尺の挟み具等で前記集水器のフレーム体を容易に回動させることができ、高所作業をすることなく集水器に溜まったゴミの取り出し、除去をなすことができる。
【００１２】
また、前記課題を解決するために、第２の発明は、軒樋からの雨水を受けて排水側に送る集水器であって、
この集水器の下部側に備えられている筒状集水部における互いに向きあっている筒壁部に同寸法で同形状の抜き差し穴が設けてあると共に、
この抜き差し穴に抜き差し可能に差し入れられて集水器の一部をなす捕捉筒体が、前記抜き差し穴間にある筒状集水部内面に接しながら抜き差しされる一対の向きあった側板と、この抜き差し穴に差し入れられて当該抜き差し穴の開口を塞ぐ一対の向きあった側板とを備えており、
しかも、この捕捉筒体が、前記開口を塞ぐ各側板に取っ手を備えていると共に、上部側と下部側とに当該捕捉筒体内を仕切るゴミ捕捉手段を備えており、この下部側にあるゴミ捕捉手段が上部側にあるゴミ捕捉手段よりも細かいゴミを捕捉し得るようにしてあることを特徴とする集水器としてある。
【００１３】
このように構成される集水器にあっては、集水器内に取り込まれた各種のゴミを、その大きさに合わせて捕捉筒体によって捕捉し、この捕捉されたゴミを当該捕捉筒体の引き出し処理によって容易に集水器から取り出し除去することができ、また、比較的大きいゴミのゴミ捕捉手段と、この比較的大きいゴミのゴミ捕捉手段を通り抜けた比較邸小さなゴミを捕捉するゴミ捕捉手段とを設けることによって、より多くのゴミを無理なく、かつ、確実に捕捉することができる。
【００１４】
また、かかる構成からなる集水器にあっては、先端に挟持手段を備えた長尺の挟み具等で前記集水器の捕捉筒体を、その、いずれの側からでも、容易に抜き差しさせることができ、高所作業をすることなく集水器に溜まったゴミを、例えば建物側にある各種設備を利用して容易に取り出し、除去することができる。
【００１５】
また、前記課題を解決するために、第３の発明は、軒樋からの雨水を受けて排水側に送る集水器であって、
この集水器において軒樋からの雨水を受ける位置にゴミを捕捉するゴミ捕捉手段を備えたフレーム体が、当該フレーム体において捕捉されたゴミを該集水器外に取り出し得るように、当該集水器の前面側に備えられている回動軸線で上側に向けて回動操作可能に設けてあり、
しかも、この集水器における前記フレーム体の備え付け位置よりも下部側にある筒状集水部の互いに向きあっている筒壁部に同寸法で同形状の抜き差し穴が設けてあると共に、この抜き差し穴に抜き差し可能に差し入れられて集水器の一部をなす捕捉筒体が、前記抜き差し穴間にある筒状集水部内面に接しながら抜き差しされる一対の向きあった側板と、この抜き差し穴に差し入れられて当該抜き差し穴の開口を塞ぐ一対の向きあった側板とを備えており、かつ、この捕捉筒体が前記開口を塞ぐ各側板に取っ手を備えていると共に、上部側と下部側とに当該捕捉筒体内を仕切るゴミ捕捉手段を備えており、下部側にあるゴミ捕捉手段が上部側にあるゴミ捕捉手段よりも細かいゴミを捕捉し得るようにしてあることを特徴とする集水器としてある。
【００１６】
このように構成される集水器にあっては、軒樋から運ばれる、例えば、落ち葉等のゴミのゴミ捕捉手段と、この落ち葉等のゴミのゴミ捕捉手段を通り抜けたゴミの内、比較的大きなゴミを捕捉するゴミ捕捉手段と、このゴミ捕捉手段を通り抜けた比較的小さなゴミを捕捉するゴミ捕捉手段とを順次に備えており、各種のゴミを、その大きさによって選別、捕捉することによって、各ゴミ捕捉手段における目詰まり等の不具合が極力生じないように、より多くのゴミを、確実に捕捉し、随時、必要に応じて、この捕捉ゴミを当該集水器から取り出し、除去することができる。
【００１７】
また、かかる構成からなる集水器にあっては、先端に挟持手段を備えた長尺の挟み具等で前記集水器のフレーム体を容易に回動させることがでると共に、当該挟み具等で前記集水器の捕捉筒体を、その、いずれの側からでも、容易に抜き差しさせることができ、高所作業をすることなく集水器で捕捉したゴミを容易に取り出し、除去することができる。
【００１８】
また、前記第１〜第３の発明に係る集水器におけるゴミのゴミ捕捉手段を網によって構成した集水器にあっては、捕捉対象物に容易に適応して効率良く捕捉でき、しかも、簡易に構成できるゴミのゴミ捕捉手段を備えた集水器を構成することができる。
【発明の効果】
【００１９】
この発明に係る集水器は、軒樋からのゴミを集水器において、軒樋等から運ばれる各種のゴミを確実に捕捉できると共に、高所作業をすることなく、随時、随意に当該集水器内に捕捉したゴミを取り出し除去して、雨樋から地上部の排水桝等に目詰まりなく雨水を案内することができる。
【発明を実施するための最良の形態】
【００２０】
以下、この発明を実施するための最良の形態に係る集水器３０について説明する。
【００２１】
なお、ここで図１〜図７は当該発明を実施するための最良の形態に係る典型的な集水器３０を、図８〜図１１は当該発明を実施するための最良の形態に係る他の典型的な集水器３０を示している。
【００２２】
まず、第１の発明を実施するための最良の形態に係る典型的な集水器３０について説明する。
【００２３】
この集水器は、軒樋２０からの雨水を受けて、この雨水を呼び樋や、竪樋等の一連の排水手段を備えた側に送る集水器３０であって、
この集水器３０において軒樋２０からの雨水を受ける位置に、例えば、落ち葉等の大きなゴミを捕捉するゴミ捕捉手段５３を備えたフレーム体５０が、
当該フレーム体５０において捕捉されたゴミを該集水器３０外に取り出し得るように、当該集水器３０の前面側に備えられている回動軸線Ａ−Ａで上側に向けて回動操作可能に設けてある。
【００２４】
ここで用いられる集水器３０は、軒に備えられている軒樋２０から雨水を受け入れて、呼び樋等に当該雨水を案内する手段として通例用いられているものであって、軒樋２０や呼び樋等に対応した素材で構成されると共に、要請される意匠面から各種の形状に構成される。また、この集水器３０に受け入れられた雨水は、例えば、呼び樋、竪樋、這い樋等を介して地上に案内されるようにしてある。また、かかる集水器３０を備える軒樋２０は、樋受け金物、樋受け具、吊金具、プラスチック吊具など適宜の樋受け手段で軒部分、例えば、鼻隠し板などに取り付け装備される。
【００２５】
かかる集水器３０に備えられるフレーム体５０は、当該集水器３０内にあって軒樋２０からの雨水を受ける位置に、例えば、落ち葉等の大きなゴミを捕捉するゴミ捕捉手段５３を備え、かつ、当該フレーム体５０に捕捉したゴミを当該集水器３０外に取り出し得るように、この集水器３０の前面側に備えられている回動軸線Ａ−Ａで上側に向けて回動操作可能とされておれば、いかなる素材によって構成してあっても、また、いかなる形状に構成してあってもよく、例えば、当該集水器３０の前面側に回動操作可能に基部側を組み付けられて、軒樋２０からの雨水を受け得る位置に延びるフレーム体５０に、この軒樋２０からの雨水を受ける位置に網体、格子体、スリット付きプレート、複数の平行線列体、比較的大きい穴を有するパンチングボードなどの適宜のゴミ捕捉手段５３を備えた構成とすることができる。また、かかるフレーム体５０は、前記要件を満たすものであれば、例えば、当該フレーム体５０の一部を集水器３０の構成部分によって構成し、当該部分を備えたフレーム体５０とし、かつ、当該部分を備えて集水器３０を構成するようにしてあってもよい。また、かかるフレーム体５０は、前記要件を満たすものであれば、このフレーム体５０を複数の区分フレーム体によって構成し、フレーム体５０の回動操作時に、この各区分フレーム体が順次各別に回動するようにしてあってもよい。
【００２６】
また、このフレーム体５０は、当該フレーム体５０において捕捉されたゴミを該集水器３０外に取り出し得るように、当該集水器３０の前面側に備えられている回動軸線Ａ−Ａで上側に向けて回動操作可能に設けてあれば、いかなる態様に回動されてもよく、例えば、当該フレーム体５０を前記集水器３０上にほぼ垂直の状態に回動操作したり、また、当該垂直状態にまで到らぬ態様に回動操作したり、さらに、この垂直状態から前方側に突き出す反転状態に回動操作し得るようにしてある。
【００２７】
このように構成される集水器３０にあっては、軒樋２０から運ばれる、例えば、落ち葉等の大きなゴミや、集水器３０自体に落下される、例えば、落ち葉等の大きなゴミが当該フレーム体５０に備えられているゴミ捕捉手段５３によって確実に捕捉できると共に、このゴミ捕捉手段５３によって捕捉したゴミを当該フレーム体５０の回動操作によって容易に当該集水器３０から取り出し、除去することができる。
【００２８】
また、かかる構成からなる集水器３０にあっては、先端に挟持手段を備えた長尺の挟み具等の操作具６０で前記集水器３０のフレーム体５０を容易に回動させることができ、高所作業をすることなく集水器３０に溜まったゴミの取り出し、除去をなすことができる。
【００２９】
ついで、第２の発明を実施するための最良の形態に係る典型的な集水器３０について説明する。
【００３０】
この集水器３０は、軒樋２０からの雨水を受けて排水側に送る集水器３０であって、
この集水器３０の下部側に備えられている筒状集水部３２における互いに向きあっている筒壁部に同寸法で同形状の抜き差し穴３２ｅが設けてあると共に、
この抜き差し穴３２ｅに抜き差し可能に差し入れられて集水器３０の一部をなす捕捉筒体４０が、前記抜き差し穴３２ｅ間にある筒状集水部３２内面に接しながら抜き差しされる一対の向きあった側板４２と、この抜き差し穴３２ｅに差し入れられて当該抜き差し穴３２ｅの開口を塞ぐ一対の向きあった側板４１とを備えており、
しかも、この捕捉筒体４０が、前記開口を塞ぐ各側板４１に取っ手４４を備えていると共に、上部側と下部側とに当該捕捉筒体４０内を仕切るゴミ捕捉手段４６、４７を備えており、この下部側にあるゴミ捕捉手段４７が上部側にあるゴミ捕捉手段４６よりも細かいゴミを捕捉し得るようにしてある。
【００３１】
ここで用いられる集水器３０は、軒に備えられている軒樋２０から雨水を受け入れて、呼び樋等に当該雨水を案内する手段として通例用いられているものであって、軒樋２０や呼び樋等に対応した素材で構成されると共に、要請される意匠面から各種の形状に構成される。また、この集水器３０に受け入れられた雨水は、例えば、呼び樋、竪樋、這い樋等を介して地上に案内されるようにしてある。また、かかる集水器３０を備える軒樋２０は、樋受け金物、樋受け具、吊金具、プラスチック吊具など適宜の樋受け手段で軒部分、例えば、鼻隠し板などに取り付け装備される。
【００３２】
この集水器３０の下部側に備えられている筒状集水部３２は、互いに向きあっている筒壁部に同寸法で同形状の抜き差し穴３２ｅが設け得ると共に、この抜き差し穴３２ｅに対して捕捉筒体４０を、当該捕捉筒体４０における一対の向き合った側板４２を当該筒状集水部３２内面に接した状態で、抜き差しできる構成としてあり、しかも、この抜き差しされる捕捉筒体４０の差し入れ時において、この捕捉筒体４０における他の一対の側板４１が前記穴３２ｅの開口を塞ぎ得る構成としてあれば、いかなる構成としてあってもよい。例えば、抜き差し穴３２ｅ間における平断面形状を、前記捕捉筒体４０における側板４２の摺接される平行な面を備えた各種形状の構成とすることができる。
【００３３】
また、前記捕捉筒体４０は、この捕捉筒体４０において雨水を受け入れ、かつ、各種ゴミを捕捉し得るものであれば、いかなる素材によって構成してあってもよい。また、この捕捉筒体４０は、前記抜き差し穴３２ｅ間にある筒状集水部３２内面に接しながら抜き差しされる一対の向きあった側板４２と、この抜き差し穴３２ｅに差し入れられて当該抜き差し穴３２ｅの開口を塞ぐ一対の向きあった側板４１とを備え、かつ、前記開口を塞ぐ各側板４１に取っ手４４を備え、しかも、上部側と下部側とに当該筒体内を仕切るゴミ捕捉手段４６、４７を備えた構成としてあれば、いかなる構成としてあってもよく、主として前記筒状集水部３２に対応した形状に構成してある。また、当該捕捉筒体４０に備えられるゴミ捕捉手段４６、４７は、下部側にあるゴミ捕捉手段４７が上部側にあるゴミ捕捉手段４６よりも細かいゴミを捕捉し得るように構成してあれば、当該ゴミ捕捉手段４６、４７を網体、格子体、スリット付きプレート、複数の平行線列体、比較的大きい穴を有するパンチングボードなどの適宜のゴミ捕捉手段を備えた構成とすることができる。
【００３４】
このように構成される集水器３０にあっては、集水器３０内に取り込まれた各種のゴミを、その大きさに合わせて捕捉筒体４０によって捕捉し、この捕捉されたゴミを当該捕捉筒体４０の引き出し処理によって容易に集水器３０から取り出し除去することができ、また、大きいゴミのゴミ捕捉手段４６と、この大きいゴミのゴミ捕捉手段４６を通り抜けた比較邸小さなゴミを捕捉するゴミ捕捉手段４７とを設けることによって、より多くのゴミを無理なく、かつ、確実に捕捉することができる。
【００３５】
また、かかる構成からなる集水器３０にあっては、先端に挟持手段を備えた長尺の挟み具等の操作具６０で前記集水器３０の捕捉筒体４０を、その、いずれの側からでも、容易に抜き差しさせることができ、高所作業をすることなく、例えば、建物側にある各種の設備等を利用して集水器３０に溜まったゴミを容易に取り出し、除去をなすことができる。
【００３６】
ついで、第３の発明を実施するための最良の形態に係る典型的な集水器３０について説明する。
【００３７】
この集水器３０は、軒樋２０からの雨水を受けて排水側に送る集水器３０であって、
この集水器３０において軒樋２０からの雨水を受ける位置にゴミを捕捉するゴミ捕捉手段５３を備えたフレーム体５０が、当該フレーム体５０において捕捉されたゴミを該集水器３０外に取り出し得るように、当該集水器３０の前面側に備えられている回動軸線Ａ−Ａで上側に向けて回動操作可能に設けてあり、
しかも、この集水器３０における前記フレーム体５０の備え付け位置よりも下部側にある筒状集水部３２の互いに向きあっている筒壁部に同寸法で同形状の抜き差し穴３２ｅが設けてあると共に、この抜き差し穴３２ｅに抜き差し可能に差し入れられて集水器３０の一部をなす捕捉筒体４０が、前記抜き差し穴３２ｅ間にある筒状集水部３２内面に接しながら抜き差しされる一対の向きあった側板４２と、この抜き差し穴３２ｅに差し入れられて当該抜き差し穴３２ｅの開口を塞ぐ一対の向きあった側板４１とを備えており、かつ、この捕捉筒体４０が前記開口を塞ぐ各側板４１に取っ手４４を備えていると共に、上部側と下部側とに当該捕捉筒体４０内を仕切るゴミ捕捉手段４６、４７を備えており、下部側にあるゴミ捕捉手段４７が上部側にあるゴミ捕捉手段４６よりも細かいゴミを捕捉し得るように構成してある。
【００３８】
このように構成される集水器３０にあっては、軒樋２０から運ばれる、例えば、落ち葉等のゴミのゴミ捕捉手段５３と、この落ち葉等のゴミのゴミ捕捉手段５３を通り抜けたゴミの内、比較的大きなゴミを捕捉するゴミ捕捉手段４６と、このゴミ捕捉手段４６を通り抜けた比較的小さなゴミを捕捉するゴミ捕捉手段４７とを順次に備えており、各種のゴミを、その大きさによって選別、捕捉することによって、各ゴミ捕捉手段５３、４６、４７における目詰まり等の不具合が極力生じないように、より多くのゴミを、確実に捕捉し、随時、必要に応じて、この捕捉ゴミを当該集水器３０から取り出し、除去することができる。
【００３９】
また、かかる構成からなる集水器３０にあっては、先端に挟持手段を備えた長尺の挟み具等の操作具６０で前記集水器３０のフレーム体５０を容易に回動させることがでると共に、当該挟み具等の操作具６０で前記集水器３０の捕捉筒体４０を、その、いずれの側からでも、容易に抜き差しさせることができ、高所作業をすることなく集水器３０で捕捉したゴミを容易に取り出し、除去することができる。
【００４０】
まず、図１〜図７に示される集水器３０について具体的に説明する。
【００４１】
この図１〜図７に示される集水器３０は、軒樋２０からの雨水を受けて呼び樋等の各種排水手段を備える側に送る集水器３０であって、この集水器３０において軒樋２０からの雨水を受ける位置に落ち葉等の比較的大きなゴミを捕捉するゴミ捕捉手段５３を備えたフレーム体５０が、当該フレーム体５０において捕捉されたゴミを該集水器３０外に取り出し得るように、当該集水器３０の前面側に備えられている回動軸線Ａ−Ａで上側に向けて回動操作可能に設けてある。
【００４２】
また、この図示例に係る集水器３０は、前記フレーム体５０の備え付け位置よりも下部側にある筒状集水部３２の互いに向きあっている筒壁部に同寸法で同形状の抜き差し穴３２ｅが設けてあると共に、この抜き差し穴３２ｅに抜き差し可能に差し入れられて集水器３０の一部をなす捕捉筒体４０が、前記抜き差し穴３２ｅ間にある筒状集水部３２内面に接しながら抜き差しされる一対の向きあった側板４２と、この抜き差し穴３２ｅに差し入れられて当該抜き差し穴３２ｅの開口を塞ぐ一対の向きあった側板４１とを備えており、かつ、この捕捉筒体４０が前記開口を塞ぐ各側板４１に取っ手４４を備えていると共に、上部側と下部側とに当該捕捉筒体４０内を仕切るゴミ捕捉手段４６、４７を備えており、下部側にあるゴミ捕捉手段４７が上部側にあるゴミ捕捉手段４６よりも細かいゴミを捕捉し得るように構成してある。
【００４３】
この図示例に係る集水器３０は、住宅等の建築物における軒部分、例えば、屋根の軒先に備えられるものであって、垂木１の先端側に広小舞４等を介して石綿スレート板５を張り込むと共に、当該垂木１の先端に鼻隠し下地材２を介して鼻隠し板３を備え付け、軒裏側にあっては、野縁６に軒裏仕上げとして軒天井を構成する合板７が張り込んである。
【００４４】
かかる軒先にあって、軒樋２０を屋根からの雨水の放射される位置にほぼ水平の状態で樋持ち金物、受け金物、受け金具、吊る金具、吊る具等の適宜の保持手段８によって建物側、この図示例にあっては、鼻隠し板３に取り付けてある。
【００４５】
かかる軒樋２０は、金属やプラスチック等の任意の素材からなり、かつ、半円形や角形等の任意形状のものとして用意され、軒先にあって都合良く雨水を捕集し得るように備え付けられる。
【００４６】
かかる軒樋２０からの雨水を受け入れる集水器３０は、建物の備える外観意匠や軒樋２０等から勘案される素材、形状の集水器３０として用意される。この図示例に係る集水器３０は、平面視で概ね矩形をなす構成としてあり、下方に向けてややすぼまる漏斗状の桝状集水部３１と、この桝状集水部３１の下方に連接されて平断面形状が矩形をなす直筒状の筒状集水部３２と、この筒状集水部３２から、やや細く構成された連接筒部３３と、さらに、この連接筒部３３からエルボ３４を経て呼び樋３５に、前記軒樋２０からの雨水を受け渡すように構成してある。
【００４７】
ここで集水器３０を構成する桝状集水器３１は、下方に向けてすぼまる形態の矩形開口を備える筒体に構成してあり、建物側に面している背面側板３１ｂと前面側板３１ａとが互いに向き合って備えられており、この前面側板３１ａと背面側板３１ｂとを連絡するように一対の側面側板３１ｃ、３１ｃを備えた構成としてある。そして、この各側面側板３１ｃ、３１ｃに軒樋２０端を受ける樋穴３１ｄが開口してあり、この樋穴３１ｄに軒樋２０の端部を、当該桝状集水器３１内におけるフレーム体５０の操作に支障の無い態様に差し入れ組み付けて、軒樋２０と集水器３０とを一体となるように構成してある。
【００４８】
なお、この図示例に係る軒樋２０は、底板２１と、当該底板２１の前後から斜めに起立する前板２２及び背面板２３を備えており、前板２２の上縁巻き込み部２２ａに吊り具８’の先端を差し入れ、かつ、背面板２３の上縁引っ掛け部２３ａを当該吊り具８’の支持部によって前記上縁巻き込み部２２ａに吊り具８’の先端を押し入れるようにして、鼻隠し板３に確実に支持し得るようにしてある。
【００４９】
この図示例に係る集水器３０にあっては、かかる構成の桝状集水部３１における軒樋２０からの雨水を受ける位置に、フレーム体５０のゴミ捕捉手段５３が位置づけられるように設けてある。
【００５０】
かかるフレーム体５０は、この図示例にあっては、第１フレーム部５１と、第２フレーム部５２とを備えた構成としてあって、この、第１フレーム部５１と第２フレーム部５２とが互いに連動しあって１個のフレーム体５０として機能するように構成してある。
【００５１】
この第１のフレーム部５１は、集水器３０を構成する桝状集水部３１における前面側板３１ａに沿って軸ロッド５１ａを、この前面側板３１ａを挟む側面側板３１ｂ、３１ｂの先端上部に備えられている軸受け部３１ｅの軸孔に軸ロッド５１ａの軸部を回動可能に組み付けてある。そして、この軸ロッド５１ａの両側部から当該軸ロッド５１ａに一体のアーム部５１ｂが設けてあると共に、この各アーム部５１ｂ、５１ｂの先端側に軸ロッド５１ｃが一体となるように設けてあり、この軸ロッド５１ｃの各先端が当該アーム部５１ｂから側方に突き出すようにしてある。また、この集水器３０の前面側に備えられる軸ロッド５１ａは、そのほぼ中程に上方に起立する操作ロッド５１ｈを当該軸ロッド５１ａに一体に備えており、この操作ロッド５１ａの回動操作によって第１フレーム部５１の回動操作をなし得るように構成してある。
【００５２】
また、この第１フレーム部５１には一端側を集水器３０側に固定されたねじりコイルバネ５１ｆが他端側をアーム部５１ｂを下方に押し下げるように引っ掛けてあり、この第１フレーム部５１の先端側が、常時、桝状集水部３１の下方に向けて押し下げられるように付勢してある。また、この第１フレーム部５１が当該ねじりコイルバネ５１ｆによって必要以上に先端側を下げないように、前記操作ロッド５１ｃの背面側、すなわち、前面側板３１ａの内側面に接するストッパー５１ｄが設けてあり、このねじりコイルバネ５１ｆによる第１フレーム部５１の下方に向けた際の押し込み傾き位置が常に一定となるようにしてある。
【００５３】
かかる第１フレーム部５１のアーム部５１ｂから側方に突き出されている軸ロッド５１ｃの軸部を各アーム部５２ａの軸孔に回動可能に組み付けられる第２フレーム部５２は、この一対のアーム部５２ａ間に適宜連結ロッド５２ｂを一体に組み付けて枠状に構成してあり、しかも、この一体的な枠状をなす第２フレーム部５２が前記第１フレーム部５１に対する組み付け位置で、当該第２フレーム部５２の先端側が常時集水器３０の下方に押し込まれる向きにねじりコイルバネ５１ｇによって付勢される構成としてある。
【００５４】
かかるねじりコイルバネ５１ｇは、その一端側が、前記第１フレーム部５１のアーム部５１ｂに固定されていると共に、他端側が、当該第２フレーム部５２におけるアーム部５２ａを常時下向きに付勢するように当該アーム部５２ａに組み付けてある。また、この第２フレーム部５２は、この第２フレーム部５２が前記ねじりコイルバネ５１ｇによる付勢に抗して、前記軒樋２０からの雨水を受け得る位置にほぼ水平を保つように前記第１フレーム部５１のアーム部５１ｂの下端部に備えられているストッパー５１ｅに支持されて、常時、このねじりコイルバネ５１ｇによって、当該ストッパー５１ｅに支持された状態、すなわち、斜め下方に延びるようにストッパー５１ｄで下限が定められている前記第１フレーム部５１のアーム部５１ｂの下端から、当該第２フレーム部５２におけるアーム部５２ａがほぼ水平に延びるようにセットされて、軒樋２０からの雨水を受け入れ得る構成としてある。
【００５５】
かかるフレーム体５０に対して、ゴミ捕捉手段５３を備え付ける。かかるゴミ捕捉手段５３は、この図示例にあっては、網５３ａで構成してあり、この網５３ａを当該第１フレーム部５１と第２フレーム部５２とにわたって、雨樋２０からの雨水を受ける位置に備え付けるようにしてある。この図示例にあっては、第２フレーム部５２の先端縁から第１フレーム部５１の中程まで到る大きさの網５３ａを用意し、これをフレーム体５０に対して外れないように組み付けてある。
【００５６】
また、前記操作ロッド５１ｈに備えられている孔５１ｈ’に対して、前記第２フレーム部５２の連結ロッド５２ｂに連結したワイヤ等の操作紐５４を挿通し、その前方に引き出した操作紐端にリング５４ｃ等の適宜の引っ張り操作手段を設けると共に、前記フレーム体５０が都合良く、集水器３０内において軒樋２０からの雨水を受け入れうる位置に当該第２フレーム部５２が位置している状態で、当該ワイヤ等の操作紐５４における結束瘤５４ａが当該孔５１ｈ’の外側面に突き当たって当該操作紐５４が集水器３０の内側に向けて延びるのを防止し得るようにしてある。
【００５７】
なお、前記構成からなるフレーム体５０は、このフレーム体５０を構成する第１フレーム部５１のアーム部５１ｂの先端が、桝状集水部３１における軒樋２０からの雨水の受け位置の手前側で、しかも、この雨水の受け位置よりもやや低い位置に位置した状態で前記ストッパー５１ｄによって、下方に向けた回動が阻止されており、また、この状態で、前記第２フレーム部５２が、軒樋２０からの雨水を受けうるように当該アーム部５１ｂの先端から背面側板３１ｂに向けてほぼ水平の状態に延び、この状態から下方に向けた回動を前記ストッパー５１ｅによって阻止される構成としてある。
【００５８】
かかる状態で、適宜の長さを備える操作具６０等を用いて、地上からの操作によって、前記操作紐５４を引いて、この操作紐５４に連結されている前記第２フレーム部５２を前記ねじりコイルバネ５１ｇの付勢に抗して第１フレーム部５１のアーム部５１ｂとの連結部で反転させ、第１フレーム部５１に近接するように回動する。さらに、この操作紐５４を引くことによって、操作紐５４にある結束瘤５４ｂを前記孔５１ｈ’に突き当て、操作ロッド５１ｈを集水器３０の前方に回動して、この操作ロッド５１ｈと一体とされている第１フレーム部５１を前記第２フレーム部５２と共に前記ねじりコイルバネ５１ｆの付勢に抗して上方に起立させ、さらに、当該集水器３０の前方側に向けて反転させて、このフレーム体５０内にある落ち葉等のゴミを取り出す。
【００５９】
また、このようにフレーム体５０のゴミ捕捉手段５３に捕捉された落ち葉等を集水器３０から取り除いた状態で、前記操作ロッド５１ｈを前方に回動していた前記操作紐５４を緩めることで、操作ロッド５１ｈが反転されて起立状態とされ、同時に第２フレーム部５２を重ね合わせ状態とされている第１フレーム部５１が、前記ねじりコイルバネ５１ｆの付勢によって、そのアーム部５１ｂの先端をストッパー５１ｄが機能される位置まで下方に下げ、さらに、この操作紐５４を緩めることによって、第２フレーム部５２がねじりコイルバネ５１ｇの付勢によって前記ストッパー５１ｅの機能するほぼ水平位置まで開き出されて、前記ゴミ捕捉手段５３としての網５３ａを軒樋２０からの雨水の受け位置に展開して、落ち葉等の捕捉をなし得る状態にセットされる。
【００６０】
なお、前記第１フレーム部５１から第２フレーム部５２へ、順次に展開され、かつ、第２フレーム部５２が第１フレーム部５１より先に集水器３０からの引き出し操作時に回動動作するように前記ねじりコイルバネ５１ｆをねじりコイルバネ５１ｇよりも付勢力の大きなねじりコイルバネ５１ｆとしてあってもよい。
【００６１】
かかる桝状集水部３１に連続して当該桝状集水部３１の下方に備えられる筒状集水部３２は、角筒状、この図示例にあっては、ほぼ矩形平断面形状の角筒体として構成してあり、建物側にある後側壁板３２ｂと前側壁板３２ａとが互いに平行をなすように向き合った構成としてあり、またこの前側壁板３２ａと後側壁板３２ｂとの間にある一対の横側壁板３２ｃ、３２ｃが互いに平行をなすように向き合った構成としてある。
【００６２】
かかる筒状集水部３２は、互いに向き合っている平行な壁板である前記前側壁板３２ａと後側壁板３２ｂとにおける互いに向き合っている筒壁部に同寸法、同形状の抜き差し穴３２ｅ、３２ｅが設けてあり、この抜き差し穴３２ｅのいずれの側からでも、捕捉筒体４０を抜き差しできる構成としてある。また、この抜き差し穴３２ｅの内側上縁に張出鍔３２ｄが、この筒状集水部３２内を周回するように設けてあり、捕捉筒体４０の抜き差し時の摺接案内面及び嵌め入れられる捕捉筒体４０に雨水を漏れなく受け渡し得る構成としてある。
【００６３】
かかる捕捉筒体４０は、平面視で矩形をなす筒体としてあって、互いに平行に向き合っている同寸法、同形状の一対の第１側板４１、４１と、互いに平行に向き合っている同寸法、同形状の他の一対の第２側板４２、４２とを備えて構成してある。また、この捕捉筒体４０は、その下端縁に内向きの張出鍔４３を備えていると共に、各第２側板４２が前記抜き差し穴３２ｅから、その外面を当該抜き差し穴３２ｅに連続する筒状集水部３２の内面に密に接して抜き差しできるようにしてあり、しかも、前記第１側板４１の外側面に取っ手４４が設けてあると共に、この第１側板４１が、当該筒状集水部３２に備えられる抜き差し穴３２ｅを密に塞ぎ得る構成としてある。
【００６４】
また、この捕捉筒体４０には、前記張出鍔４３上に第２のゴミ捕捉手段４７が、また、この第２のゴミ捕捉手段４７上に相当のゴミ収集隙間を生ずるようにして第１のゴミ捕捉手段４６が設けてある。
【００６５】
かかる捕捉筒体４０に備えられるゴミ捕捉手段４６、４７は、上部側に位置する第１のゴミ捕捉手段４６が、この第１のゴミ捕捉手段４６の下方にある第２のゴミ捕捉手段４７よりも大きいゴミを捕捉し得る構成としてあり、この図示例にあっては、いずれも網４６ａ、４７ａによって当該ゴミ捕捉手段４６、４７を構成してある。さらに、具体的には前記捕捉筒体４０における張出鍔４３上に比較的細かい編み目の網４７ａを張って第２のゴミ捕捉手段４７とし、また、この網４７ａ上に両端部を下方にほぼ直角に折り曲げてコ字状に構成した網４６ａを、この下方に折り曲げた一対の網部を脚部４６ａ’として前記網４７ａに平行をなすように第１のゴミ捕捉手段４６をなす網４６ａを設けてある。
【００６６】
また、この捕捉筒体４０は前記取っ手４４を建物側における各種設備を利用して、あるいは、建物の外側から長尺の操作具６０等で挟持するなどによって、筒状集水部３２の抜き差し穴３２ｅに抜き差しして、各種ゴミを効率よく分別して捕捉し、除去することができる。かかる捕捉筒体４０の抜き差し処理にあって、この捕捉筒体４０の上縁に弾性片からなるストッパー４５を用意し、このストッパー４５が、この捕捉筒体４０の差し込み時に前記張出鍔３２ｄに掛合するようにして捕捉筒体４０を好ましい差し込み位置、すなわち、第１側板４１で抜き差し穴３２ｅを密に塞ぎ得るように差し込み停止させるようにしてある。また、この捕捉筒体４０にあっては、その下面側に張出鍔４３を設けてあり、前記筒状集水部３２における張出鍔３２ｄと共に、当該捕捉筒体４０の円滑な抜き差しを可能とし、しかも、集水器３０に受け入れた軒樋２０からの雨水を当該張出鍔３２ｄ、４３によって中央側に集めるようにして、雨水が当該集水器３０から漏れ出すのを極力防ぐようにしてある。
【００６７】
なお、ここで前記操作紐５４の操作や、捕捉筒体４０の取っ手４４の操作には、各種形態の操作具を用いることができ、当該操作に最も都合の良い形態の操作具を用いることが好ましい。６０は、かかる操作具の一例を示したものであって、長尺のロッド６０ａに一体に備えられている一方掴み部６０ｂに対してワイヤ６０ｃ操作される他方掴み部６０ｄを回動軸６０ｅで回動可能に構成し、この掴み部６０ｄで取っ手４４、操作紐５４等を掴み部６０ｂとの間に挟み持ち操作できるようにしてある。
【００６８】
このように構成される集水器３０にあっては、落ち葉等の大きなゴミが桝状集水部３１においてゴミ捕捉手段５３を備えたフレーム体５０によって容易に捕捉し、かつ、取り除き得ると共に、筒状集水部３２に入り込んだゴミ等を、比較的大きなゴミと小さなゴミとに区分して、それぞれ別のゴミ捕捉手段４６、４７で各別に捕捉して、除去するようにしてあることから、ゴミ捕捉部における目詰まりを生ずることがなく、確実に、しかも、効率よくゴミの捕捉、除去をなすことができる。また、雨樋管理に際して地上や建物設備側からの管理が可能とされ、高所作業に伴う不具合がない。
【００６９】
ついで、図８〜図１１に示される集水器３０について説明する。
【００７０】
この図８〜図１１に示される集水器３０はフレーム体５０を、集水器３０における前面側板３１ａの上部を構成するフレーム用前面側板部３１ｇを用い、かつ、
フレーム体５０を一連の枠体によって構成した以外の構成を前記図１〜図７に示される集水器３０と同一の構成としてあり、同様に用いることができ、しかも、同様に機能する。
【００７１】
従って、前記図１〜図７において示された構成と同一又は実質的に同一の構成部分には同一の番号を付して、その説明を省略する。
【００７２】
この図示例に係る集水器３０にあっては、軒樋２０から雨水を受ける桝状集水部３１に備えられるゴミ捕捉手段５３を備えるフレーム体５０を、この桝状集水器３１における前面側板３１ａの上部部分を含んで構成してある。
【００７３】
すなわち、ここで桝状集水部３１に備えられるフレーム体５０は、この桝状集水部３１における前面側板３１ａの上部側を構成するフレーム用前面側板部５１ｋと、このフレーム用前面側板部５１ｋの両側から、桝状集水部３１における軒樋２０からの雨水を受け得る位置の下方に延びるように、当該フレーム用前面側板部５１ｋに一体に備えられている一対の湾曲アーム５１ｐ、５１ｐと、この各湾曲アーム５１ｐ、５１ｐ間を連結する連結ロッド５１ｒとを備え、このフレーム体５０にゴミ捕捉手段５３としての網５３ａを備えた構成としてある。
【００７４】
かかるフレーム体５０は、前記桝状集水部３１の各側面側板３１ｃの先端から突設されている軸受け部３１ｈの軸孔に、フレーム用前面側板部５１ｋから突設してある軸部材５１ｓの軸５１ｎを回動可能に嵌め入れて、当該一対の側面側板３１ｃ、３１ｃの各軸受け部３１ｈ、３１ｈ間に回動可能に設けてある。また、
この各軸受け部３１ｈ、３１ｈ間に回動可能に備えられるフレーム用前面側板部５１ｋは、その内側に当該各側面側板３１ｃの内面に沿うように差し入れられる嵌め込み板部５１ｔを備えており、この嵌め込み板部５１ｔが当該各側面側板３１ｃの前端面に当接する構成としてある。また、このフレーム体５０を構成する嵌め込み板部５１ｔに弾性片からなるストッパー片５１ｍが設けてあって、このフレーム体５０におけるフレーム用前面側板部５１ｋの嵌め込み板部５１ｔを側面側板３１ｃ、３１ｃ間に押し入れた際に、このストッパー片５１ｍが側面側板３１ｃに設けてある孔５５に引っ掛かるようにしてあり、しかも、この状態でフレーム用前面側板部５１ｋが側面側板３１ｃの前端面に当接して、フレーム体５０が、桝状集水部３１内において、軒樋２０からの雨水を受け得る位置に安定に維持される。
【００７５】
かかる状態から、適宜の操作具６０を用いて、前記桝状集水部３１におけるフレーム用前面側板部５１ｋの上端側を軸５１ｎを回動軸として前方、さらには下方に引き回すことによって、このフレーム用前面側板部５１ｋに一体に備えられているフレーム体５０の先端側が上方に跳ね上げられ、かつ、反転されて、当該フレーム体５０に備えられているゴミ捕捉手段５３、すなわち、網５３ａで捕捉されていた落ち葉等のゴミが取り除かれる。
【００７６】
また、このようにゴミの取り出し除去をなしたフレーム体５０は、前記手法で、桝状集水部３１内に戻されてゴミの捕捉に用いられる。
【００７７】
かかる桝状集水部３１の下方に、前記図１〜図７において示されたと同様の筒状集水部３２を設けてあり、この筒状集水部３２に前記図１〜図７におけると同様に捕捉筒体４０を抜き差し可能に設けて当該集水器３０を構成してある。
【図面の簡単な説明】
【００７８】
【図１】典型的な集水器を備える軒部分を側方から見て示した断面図
【図２】同集水器部分の要部平断面図
【図３】同要部部品の分離斜視図
【図４】同集水器の設置状態を示す断面図
【図５】同集水器の操作状態を示す断面図
【図６】同集水器の他の操作状態を示す断面図
【図７】同集水器を構成する桝状集水部の部品分離斜視図
【図８】典型的な他の集水器の要部を示す斜視図
【図９】同平面図
【図１０】同集水器を備えた軒部分を要部を断面して示した側面図
【図１１】同使用状態を示す要部を断面して示した側面図
【符号の説明】
【００７９】
２０  軒樋
３０  集水器
３２  筒状集水部
４０  捕捉筒体
４６  ゴミ捕捉手段
４７  ゴミ捕捉手段
５０  フレーム体
５３  ゴミ捕捉手段
【図１】
2007182678.tif 000003
【図２】
2007182678.tif 000004
【図３】
2007182678.tif 000005
【図４】
2007182678.tif 000006
【図５】
2007182678.tif 000007
【図６】
2007182678.tif 000008
【図７】
2007182678.tif 000009
【図８】
2007182678.tif 000010
【図９】
2007182678.tif 000011
【図１０】
2007182678.tif 000012
【図１１】
2007182678.tif 000013